(57)【要約】【課題】エネルギー蓄積素子のためのコスト効率が良く高性能の充電均等化を達成することができるシステムを提供する。【解決手段】システムは複数のユニットを含む。複数のユニットの各々は、エネルギー蓄積素子、分岐スイッチ、および分岐ダイオードを有し、それらは直列に接続される。システムは、１次側および２次側を含み、均等化を達成するために、エネルギー蓄積素子の充電および放電の少なくとも一方のためのイコライザとして機能するトランスをさらに含む。複数のユニットは、制御スイッチを通して１次側に接続され、２次側に接続される２次回路から分離される。【選択図】図１
2015047063.tif 000002
【特許請求の範囲】
【請求項１】
複数のユニット（Ｕ1〜ＵN）であって、前記複数のユニット（Ｕ1〜ＵN）の各々は、
エネルギー蓄積素子（Ｂ1〜ＢN）と、
分岐スイッチ（Ｓ1〜ＳN）と、
分岐ダイオード（Ｄ1〜ＤN）と、を含む複数のユニット（Ｕ1〜ＵN）と、
１次側（ＮP）および２次側（ＮS）を含み、充電均等化を達成するために、前記エネルギー蓄積素子（Ｂ1〜ＢN）の充電および放電の少なくとも一方のためのイコライザとして機能するトランス（１０２）と、を含む、システムであって、
前記複数のユニット（Ｕ1〜ＵN）は、制御スイッチ（ＳN+1）を通して前記１次側（ＮP）に接続され、前記２次側（ＮS）に接続される２次回路（１０４）から分離される、システム（１００）。
【請求項２】
前記複数のユニット（Ｕ1〜ＵN）の前記複数の分岐ダイオード（Ｄ1〜ＤN）は、前記制御スイッチ（ＳN+1）を通して前記１次側（ＮP）に直列に接続され、前記複数のユニット（Ｕ1〜ＵN）の各々の前記エネルギー蓄積素子（Ｂ1〜ＢN）および分岐スイッチ（Ｓ1〜ＳN）は、直列に接続され、かつ前記対応する分岐ダイオード（Ｄ1〜ＤN）と並列に接続される、請求項１に記載のシステム（１００）。
【請求項３】
前記分岐スイッチ（Ｓ1〜ＳN）は、前記複数のユニット（Ｕ1〜ＵN）のうちの１つの前記エネルギー蓄積素子（Ｂ1〜ＢN）の充電および放電の少なくとも一方を前記トランス（１０２）によって同時に行うために、前記制御スイッチ（ＳN+1）と相互作用するように構成される、請求項１に記載のシステム（１００）。
【請求項４】
前記トランス（１０２）はフライバックトランスを含む、請求項１に記載のシステム（１００）。
【請求項５】
１次側（ＮP）および２次側（ＮS）を含むトランス（１０２）と、
制御スイッチ（ＳN+1）を通して前記１次側（ＮP）に直列に接続され、かつ前記２次側（ＮS）に接続される２次回路（１０４）から分離される複数の分岐ダイオード（Ｄ1〜ＤN）と、を含む、システムであって、
前記複数の分岐ダイオード（Ｄ1〜ＤN）の各々は、分岐スイッチ（Ｓ1〜ＳN）と並列に接続され、
一旦、前記複数の分岐ダイオード（Ｄ1〜ＤN）の各々が前記分岐スイッチ（Ｓ1〜ＳN）に直列に接続されるエネルギー蓄積素子（Ｂ1〜ＢN）と並列にさらに接続されると、前記トランス（１０２）は、充電均等化を達成するために、前記複数の分岐ダイオード（Ｄ1〜ＤN）とそれぞれ並列に接続される前記複数のエネルギー蓄積素子（Ｂ1〜ＢN）の充電および放電の少なくとも一方を行うことができる、システム（１００）。
【請求項６】
前記複数の分岐ダイオード（Ｄ1〜ＤN）とそれぞれ並列に接続される前記複数の分岐スイッチ（Ｓ1〜ＳN）は、前記複数のエネルギー蓄積素子（Ｂ1〜ＢN）の１つの充電および放電の少なくとも一方を前記トランス（１０２）によって同時に行うために、前記制御スイッチ（ＳN+1）と相互作用するように構成される、請求項５に記載のシステム（１００）。
【請求項７】
複数のエネルギー蓄積素子（Ｂ1〜ＢN）を含む、システムであって、
前記複数のエネルギー蓄積素子（Ｂ1〜ＢN）の各々は、システム（２００）の出力と直接インターフェースを行って前記エネルギー蓄積素子（Ｂ1〜ＢN）の電力の充電または放電を管理する電力変換ユニット（２１０）に結合される、システム（２００）。
【請求項８】
前記電力変換ユニット（２１０）は、前記エネルギー蓄積素子（Ｂ1〜ＢN）と前記システム（２００）の前記出力との間の双方向電力潮流を調整するためのパワー電子回路、および充電均等化を達成するために前記エネルギー蓄積素子（Ｂ1〜ＢN）の電力を充電または放電するためのバランス回路の集積化を含む、請求項７に記載のシステム（２００）。
【請求項９】
前記電力変換ユニット（２１０）は、金属酸化物半導体電界効果トランジスタ、絶縁ゲートバイポーラトランジスタ、およびバイポーラ接合トランジスタから成るグループから選択される少なくとも４つのトランジスタ（Ｔ1〜Ｔ4）を含む、請求項７に記載のシステム（２００）。
【請求項１０】
前記複数のエネルギー蓄積素子（Ｂ1〜ＢN）の各々は、少なくとも４つのスイッチデバイスを含むスイッチモジュール（２１１）と並列に結合され、エネルギー蓄積素子（Ｂ1〜ＢN）およびスイッチモジュール（２１１）は、交流（ＡＣ）電圧を直流（ＤＣ）電圧に変換するための１次回路からトランス（２１２）によって分離される、請求項７に記載のシステム（２００）。
【請求項１１】
前記複数のエネルギー蓄積素子（Ｂ1〜ＢN）の各々は、少なくとも４つのスイッチデバイスを含むスイッチモジュール（２１１）と並列に結合され、前記エネルギー蓄積素子（Ｂ1〜ＢN）の前記スイッチモジュール（２１１）は、それらのレッグの中間点を接続することによって直列に接続され、単一のエネルギー蓄積素子（Ｂ1〜ＢN）が提供できるよりも高い交流電圧を提供する、請求項７に記載のシステム（２００）。
【請求項１２】
複数の電力変換ユニット（２１０）を含み、前記複数の電力変換ユニット（２１０）の各々は、
エネルギー蓄積素子（Ｂ1〜ＢN）とシステム（２００）の出力との間の双方向電力潮流を調整するためのパワー電子回路と、
充電均等化を達成するために前記エネルギー蓄積素子（Ｂ1〜ＢN）の電力を充電または放電するためのバランス回路と、の集積化を含む、システムであって、
前記複数の電力変換ユニット（２１０）は互いに接続され、
一旦、前記複数の電力変換ユニット（２１０）の各々がエネルギー蓄積素子（Ｂ1〜ＢN）に結合されると、前記複数の電力変換ユニット（２１０）の各々は、システム（２００）の出力と直接インターフェースを行って前記エネルギー蓄積素子（Ｂ1〜ＢN）の電力の充電または放電を管理することができる、システム（２００）。
【請求項１３】
前記システム（１００、２００）の能動電子部品は、パワー半導体デバイス、ゲートドライバ集積回路、センサー、および制御電子回路を含み、単一の能動特定用途向け集積回路に集積化される、請求項１、５、７、または１２に記載のシステム（１００、２００）。
【請求項１４】
前記能動電子部品は、シリコン実装技術のシリコンまたは窒化ガリウムにより集積化される、請求項１３に記載のシステム（１００、２００）。
【請求項１５】
前記システム（１００、２００）の受動部品は、同じ磁気コア（４０３）を共有する２つ以上の個別誘導性部品（４０１）、および容量性部品（４０２）を含み、電磁技術を用いて集積化される、請求項１、５、７、または１２に記載のシステム（１００、２００、４００）。
【請求項１６】
前記受動部品は、埋め込み誘電体材料を用いて集積化される、請求項１５に記載のシステム（１００、２００、４００）。
【請求項１７】
前記システム（１００、２００）の能動電子部品は、パワー半導体デバイス、ゲートドライバ集積回路、センサー、および制御電子回路を含み、単一の能動特定用途向け集積回路に集積化され、前記システム（１００、２００）の受動部品は、同じ磁気コアを共有する２つ以上の個別誘導性部品、および容量性部品を含み、電磁技術を用いて集積化される、請求項１、５、７、または１２に記載のシステム（１００、２００）。
【請求項１８】
前記能動電子部品は、シリコン実装技術のシリコンまたは窒化ガリウムにより集積化され、前記受動部品は埋め込み誘電体材料を用いて集積化される、請求項１７に記載のシステム（１００、２００）。
【発明の詳細な説明】
【技術分野】
【０００１】
本発明は、バッテリー管理システムおよび方法に関する。
【背景技術】
【０００２】
バッテリーは、電気自動車、医療機器、無停電電源、および他の産業応用のための最も一般的な電気エネルギー蓄積デバイスである。使用に際して、バッテリーの基本的な電位より高い電位が必要である場合に、直列に接続される複数のバッテリーを用いることは一般的である。しかし、たとえバッテリーが、同じ陽極、陰極、および電解質材料を用いて典型的な生産方法により同一構造で生産されたとしても、充電または放電（および自己放電）特性の差異が、直列に接続されるバッテリーの各々の間に存在する。このように、直列接続バッテリーの間には電位差があり、それによってアンバランスな充電の問題が生じる場合がある。例えば、直列接続バッテリーの電位が互いに異なると、いくつかのバッテリーは所定の電圧に達することができるが、いくつかの他のバッテリーは所定の電圧に達しない。したがって、直列接続バッテリー列を充電する間に、過充電または過少充電の問題が生じるおそれがあり、あるいは過充電および過少充電の両方の問題さえ生じる場合がある。
【０００３】
バッテリーの化学作用が過充電状態に耐えられない場合には、過充電されたバッテリーは爆発の高いリスクを有するおそれがあり、一方、過少充電されたバッテリーは、直列接続バッテリー列の寿命を短くするおそれがある。したがって、直列接続バッテリー列では、アンバランスな充電の問題に対処することが必要である。一般的な方法は、直列接続バッテリー列の充電均等化を達成するための充電均等化デバイスを用いることである。
【０００４】
しかし、多数のバッテリーのバランスをとるために、均等化デバイスはサイズが大きくなり、コストも高くなる場合がある。したがって、多数のバッテリーのためのバランス方法を提供することが望ましく、それはコンパクトで低コストなものである。
【発明の概要】
【０００５】
本明細書に開示される実施形態によれば、システムは複数のユニットを含む。複数のユニットの各々は、エネルギー蓄積素子、分岐スイッチ、および分岐ダイオードを有する。システムは、１次側および２次側を含み、均等化を達成するために、エネルギー蓄積素子の充電および放電の少なくとも一方のためのイコライザとして機能するトランスをさらに含む。複数のユニットは、制御スイッチを通して１次側に接続され、２次側に接続される２次回路から分離される。
【０００６】
本明細書に開示される別の実施形態によれば、システムは、１次側および２次側を含むトランスと、制御スイッチを通して１次側に直列に接続され、かつ２次側に接続される２次回路から分離される複数の分岐ダイオードと、を含む。複数の分岐ダイオードの各々は、分岐スイッチと並列に接続される。一旦、複数の分岐ダイオードの各々が分岐スイッチに直列に接続されるエネルギー蓄積素子と並列にさらに接続されると、トランスは、充電均等化を達成するために、複数の分岐ダイオードとそれぞれ並列に接続される複数のエネルギー蓄積素子の充電および放電の少なくとも一方を行うことができる。
【０００７】
本明細書に開示されるさらに別の実施形態によれば、システムは複数のエネルギー蓄積素子を含む。複数のエネルギー蓄積素子の各々は、システムの出力と直接インターフェースを行ってエネルギー蓄積素子の電力の充電または放電を管理する電力変換ユニットに結合される。
【０００８】
本明細書に開示されるさらに別の実施形態によれば、システムは複数の電力変換ユニットを含む。複数の電力変換ユニットの各々は、エネルギー蓄積素子とシステムの出力との間の双方向電力潮流を調整するためのパワー電子回路と、充電均等化を達成するためにエネルギー蓄積素子の電力を充電または放電するためのバランス回路と、の集積化を含む。複数の電力変換ユニットは互いに接続される。一旦、複数の電力変換ユニットの各々がエネルギー蓄積素子に結合されると、複数の電力変換ユニットの各々は、システムの出力と直接インターフェースを行ってエネルギー蓄積素子の電力の充電または放電を管理することができる。
【０００９】
本発明のこれらの、ならびに他の特徴、態様および利点は、添付の図面を参照しつつ以下の詳細な説明を読めば、より良く理解されよう。添付の図面では、図面の全体にわたって、類似する符号は類似する部分を表す。
【図面の簡単な説明】
【００１０】
【図１】本発明の一実施形態による、トランスの１次側に接続される複数のバッテリーユニットを有するバッテリーシステムの一例を示す図である。
【図２】本発明の一実施形態による、集積化された電力変換ユニットに各々結合されＤＣ電圧を出力する複数のバッテリーを有するバッテリーシステムの一例を示す図である。
【図３】本発明の一実施形態による、集積化された電力変換ユニットに各々結合されＡＣ電圧を出力する複数のバッテリーを有するバッテリーシステムの一例を示す図である。
【図４】埋め込み誘電体材料を用いて集積化されるバッテリーシステムの受動部品を示す図である。
【発明を実施するための形態】
【００１１】
特に定義されない限り、本明細書で用いられる技術的および科学的用語は、本発明が属する技術的分野の当業者によって一般的に理解されているものと同じ意味を有する。本明細書で用いられる「第１の」、「第２の」などの用語は、いかなる順序、量、または重要性も意味するものではなく、むしろ１つの要素と別の要素とを区別するために用いられる。また、単数形での記述は、量の限定を意味するものではなく、むしろ参照される項目が少なくとも１つ存在することを意味する。さらに、「結合される」および「接続される」という用語は、２つの部品の間の直接的または間接的な結合／接続を区別することを意図しない。むしろ、このような部品は、特に明記しない限り、直接的または間接的に連結／接続することができる。
【００１２】
本発明の実施形態は、小さい体積の電子システムを提供する。いくつかの実施形態によれば、バッテリーなどの複数のエネルギー蓄積素子は、多入力フライバックトランスに接続することができ、そのトランスは、均等化を達成するために、エネルギー蓄積素子の充電および放電の少なくとも一方のためのイコライザとして機能する。いくつかの実施形態によれば、バッテリーなどの複数のエネルギー蓄積素子は、電力変換ユニットにそれぞれ結合することができ、電力変換ユニットは、エネルギー蓄積素子とシステム全体の出力との間の双方向電力潮流を調整することができ、かつ、充電均等化を達成するためにエネルギー蓄積素子の電力の充電または放電を管理することができる。複数のエネルギー蓄積素子のためのコスト効率が良く高性能の充電均等化解決方法が、上記の実施形態において提供される。この解決方法が例えば直列接続バッテリーを有するバッテリーシステムで特に適用できるので、以下の説明はバッテリーシステムを対象にしているが、バッテリー以外のエネルギー蓄積素子を含む他のシステムで用いることができる。
【００１３】
図１に示すように、いくつかの実施形態では、バッテリーシステム１００は、複数のバッテリーユニット（Ｕ1、Ｕ2、・・・、ＵN）を含む。バッテリーユニットの各々はバッテリー（Ｂ1、Ｂ2、・・・、またはＢN）、分岐スイッチ（Ｓ1、Ｓ2、・・・、またはＳN）、および分岐ダイオード（Ｄ1、Ｄ2、・・・、またはＤN）を有し、それらは直列に接続される。バッテリーシステム１００は、充電均等化を達成するために、バッテリーの充電および放電の少なくとも一方のためのイコライザとして機能するトランス１０２をさらに含む。トランス１０２は、１次側（ＮP）および２次側（ＮS）を有する。バッテリーユニットＵ1、Ｕ2、・・・、およびＵNは、制御スイッチ（ＳN+1）を通してトランス１０２の１次側ＮPに接続され、トランス１０２の２次側ＮSに接続される２次回路１０４から分離される。
【００１４】
バッテリーユニットＵ1、Ｕ2、・・・、およびＵNは、制御スイッチＳN+1を通してトランス１０２の１次側ＮPに直列に接続されてもよい。図示するように、各バッテリーユニットについて、バッテリーおよび分岐スイッチは互いに直列に接続され、直列接続したバッテリーおよび分岐は対応する分岐ダイオードと並列に接続される。複数のバッテリーユニットの分岐ダイオードＤ1、Ｄ2、・・・、およびＤNは、制御スイッチＳN+1を通してトランス１０２の１次側ＮPに直列に接続される。分岐スイッチは、トランス１０２によって同時にバッテリーユニットの１つを充電／放電するために、制御スイッチと相互作用する。
【００１５】
トランスは、フライバックトランスであってもよい。いくつかの実施形態では、トランス１０２は多入力フライバックトランスである。複数のバッテリーユニットをトランス１０２の１次側ＮPに接続することができるようなトランス１０２の複数の入力がある。トランス１０２の２次側ＮSは、２次回路１０４に接続することができる単一の巻線出力である。いくつかの実施形態では、２次回路１０４はバッテリーモジュールである。図示する具体的な実施形態では、２次回路１０４はダイオードＤR1、キャパシタＣF、および抵抗器ＲLを含む。キャパシタＣFおよび抵抗器ＲLは並列に接続され、それからトランス１０２の２次側ＮSに接続される。
【００１６】
分岐スイッチおよび制御スイッチのどちらか、または両方は、ＮＰＮ型トランジスタであってもよい。
【００１７】
実施においては、バッテリーおよびバッテリーシステム１００の他の部分は、別々に作られ、あるいは別々に提供されてもよい。例えば、いくつかの実施においては、バッテリーを含まないが、上記の機能を達成するためにバッテリーに結合することができるシステムを提供することができる。システムは、バッテリーを除くバッテリーシステム１００のいくつかのまたは全ての部分を含むことができる。例えば、システムは、１次側および２次側を有するトランスと、制御スイッチ通して１次側に直列に接続され、かつ２次側に接続される２次回路から分離される複数の分岐ダイオードと、を含むことができる。複数の分岐ダイオードの各々は、分岐スイッチと並列に接続される。一旦、複数の分岐ダイオードの各々が分岐スイッチに直列に接続されるバッテリーなどのエネルギー蓄積素子と並列にさらに接続されると、トランスは、充電均等化を達成するために、複数の分岐ダイオードとそれぞれ並列に接続される複数のエネルギー蓄積素子の充電および放電の少なくとも一方を行うことができる。
【００１８】
いくつかの他の実施形態では、複数のバッテリーを有し、複数のバッテリーの各々がバッテリーシステムの出力と直接インターフェースを行ってバッテリーの電力の充電または放電を管理する電力変換ユニットに結合される、バッテリーシステムが提供される。
【００１９】
図２に示すように、３つのバッテリー（Ｂ1、Ｂ2およびＢ3）を含み、直流（ＤＣ）出力を有する例示的なバッテリーシステム２００が提供される。バッテリーシステム２００では、バッテリーの各々は、電力変換ユニット２１０に結合される。電力変換ユニット２１０は、バッテリーとバッテリーシステムの出力との間の双方向電力潮流を調整するためのパワー電子回路と、充電均等化を達成するためにバッテリーの電力を充電または放電するためのバランス回路と、の集積化であって、バッテリーシステムの出力と直接インターフェースを行ってバッテリーの電力の充電または放電を管理することができる。このように、電力変換ユニット２１０は、エネルギー管理システム（ＥＭＳ）およびバッテリー管理システム（ＢＭＳ）の統合化された機能を有する。本明細書において、「ＥＭＳ」とは、典型的には、発電システムおよび／または伝送システムの性能を監視し、制御し、最適化するために用いられる計算機支援ツールのシステムを指す。また、「ＢＭＳ」とは、例えばその状態を監視し、２次的なデータを計算し、データを報告し、その環境を制御し、および／またはそれのバランスをとることによって、再充電可能バッテリー（セルまたはバッテリーパック）を管理する電子システムを指す。
【００２０】
各バッテリーの電力変換ユニット２１０は、バッテリーと並列に接続されるスイッチモジュール２１１と、交流（ＡＣ）電圧をＤＣ電圧に変換するための２次回路２１３からバッテリーおよびスイッチモジュールを分離するためのトランス２１２と、を含むことができる。いくつかの実施形態では、スイッチモジュール２１１は、少なくとも４つのスイッチデバイスを含み、各々はトランジスタ（Ｔ1、Ｔ2、Ｔ3、またはＴ4）およびトランジスタに並列に接続されるダイオード（Ｄ1、Ｄ2、Ｄ3、またはＤ4）を有する。トランジスタＴ1、Ｔ2、Ｔ3、およびＴ4は、金属酸化物半導体電界効果トランジスタ、絶縁ゲートバイポーラトランジスタ、およびバイポーラ接合トランジスタから成るグループから選択することができる。図示するように、バッテリーＢ1、Ｂ2またはＢ3、およびその対応するスイッチモジュール２１１は、完全なブリッジトランス２１２の１次側に接続され、その２次側には２次回路２１３が結合される。完全なブリッジトランス２１２の出力は、例えば、電気自動車のための３００〜４００ＶおよびＣＴ、ＭＲＩおよびＸ線用途などの医療機器の蓄積エネルギーのための７００〜８００Ｖなどのより高いＤＣ出力電圧を提供するために、直列に接続することができる。図示する具体的な実施形態では、２次回路２１３は４つのダイオードＤ5、Ｄ6、Ｄ7、およびＤ8と、キャパシタＣOと、抵抗器ＲOと、を含む。４つのダイオードＤ5、Ｄ6、Ｄ7、およびＤ8はダイオードブリッジを構成し、ダイオードブリッジはキャパシタＣOおよび抵抗器ＲOと並列に接続される。
【００２１】
トランス２１２は、バッテリーの充電および放電を均等化するＢＭＳバランス機能を有するだけでなく、ＥＭＳ電力調整器としての応答性も有する。ＢＭＳバランス機能およびＥＭＳ電力調整器機能は、移相制御または周波数制御のいずれかによって、あるいは完全なブリッジトランス２１２の組み合わされた移相制御および周波数制御戦略によって実現される。
【００２２】
図３に示すように、３つのバッテリー（Ｂ1、Ｂ2およびＢ3）を含み、ＡＣ出力を有する例示的なバッテリーシステム３００が提供される。バッテリーシステム３００では、バッテリーの各々は、統合化されたＢＭＳおよびＥＭＳ機能を有する電力変換ユニット３１０に結合され、バッテリーシステムの出力と直接インターフェースを行ってバッテリーの電力の充電または放電を管理することができる。図示する具体的な実施形態では、各バッテリーの電力変換ユニット３１０はスイッチモジュール３１１を含む。上述したバッテリーシステム２００と同様に、スイッチモジュール３１１は少なくとも４つのスイッチデバイスを含み、各々はトランジスタ（Ｔ1、Ｔ2、Ｔ3、またはＴ4）およびトランジスタに並列に接続されるダイオード（Ｄ1、Ｄ2、Ｄ3、またはＤ4）を有する。図示するように、バッテリーの各々はスイッチモジュール３１１と並列に結合され、バッテリーのスイッチモジュールはそれらのレッグの中間点を接続することによって直列に接続される。そして、単一のバッテリーが提供することができるよりも高い交流電圧を提供する。
【００２３】
同様に、実施においては、バッテリーおよびバッテリーシステム２００または３００の他の部分は、別々に作られ、あるいは別々に提供されてもよい。例えば、いくつかの実施においては、バッテリーを含まないが、上記の機能を達成するためにバッテリーに結合することができるシステムを提供することができる。システムは、バッテリーを除くバッテリーシステム２００または３００のいくつかのまたは全ての部分を含むことができる。
【００２４】
上述したバッテリーシステムでは、バッテリーは、単一のバッテリーセルまたは２つ以上の並列に接続されたバッテリーセルの集合（バッテリーパック）であってもよい。ダイオードは、単一のダイオードまたは２つ以上の並列に接続されたダイオードの集合（ダイオードパック）であってもよい。
【００２５】
いくつかの実施形態では、バッテリーシステムの能動電子部品は、これらに限らないが、パワー半導体デバイス、ゲートドライバ集積回路、センサー、および制御電子回路を含み、例えばシリコン実装技術のシリコンまたは窒化ガリウムにより単一の能動特定用途向け集積回路に集積化される。いくつかの実施形態では、バッテリーシステムの受動部品は、これらに限らないが、同じ磁気コアを共有する２つ以上の個別誘導性部品、および容量性部品を含み、例えば埋め込み誘電体材料を用いて電磁技術により集積化される。受動部品は、直列または並列に接続された誘導性部品およびキャパシタを巻き付けることによって集積化することができる。例えば、図４に示すように、システム４００では、インダクタ４０１およびキャパシタ４０２を含む受動部品は、それらが同じフェライトコア４０３を共有できるように埋め込み誘電体材料を用いて集積化される。
【００２６】
任意の特定の実施形態に基づいて、上述した全てのこのような対象物または利点が必ずしも達成できるわけではないことを理解すべきである。したがって、例えば、当業者には明らかなように、本明細書に記載されたシステムおよび技術は、本明細書で教示または示唆される他の対象物または利点を必ずしも達成せずに、本明細書で教示される１つの利点もしくは１群の利点を達成または最適化するように具現化または実施することができる。
【符号の説明】
【００２７】
１００  バッテリーシステム
１０２  トランス
１０４  ２次回路
２００  バッテリーシステム
２１０  電力変換ユニット
２１１  スイッチモジュール
２１２  完全なブリッジトランス
２１３  ２次回路
３００  バッテリーシステム
３１０  電力変換ユニット
３１１  スイッチモジュール
４００  システム
４０１  インダクタ
４０２  キャパシタ
４０３  フェライトコア
Ｂ1〜ＢN  バッテリー
ＣF、ＣO  キャパシタ
Ｄ1〜ＤN  分岐ダイオード
ＲL、ＲO  抵抗器
ＮP  １次側
ＮS ２次側
Ｓ1〜ＳN  分岐スイッチ
ＳN+1 制御スイッチ
Ｔ1〜Ｔ4  トランジスタ
Ｕ1〜ＵN  バッテリーユニット
【図１】
2015047063.tif 000003
【図２】
2015047063.tif 000004
【図３】
2015047063.tif 000005
【図４】
2015047063.tif 000006
【外国語明細書】
2015047063000001.pdf